(57)【要約】【課題】着用者の体型や姿勢に関わらず腹部の締め付けを抑え、また、着用者の体型をカバーし得る着心地の良い下衣の提供。【解決手段】ズボン１が、着用者の腹部を覆うウエスト部２と、臀部を覆う腰部３と、腰部３から上下に延びて着用者が脚を通すことができる脚部４とを有し、ウエスト部２及び腰部３の少なくとも一部に、縫着された切り替え部７を有しており、切り替え部７が、切り替え部７以外の生地の布目に対して布目が傾斜したバイアス地で構成されている。また、切り替え部７が、正面視略Ｖ字形又は略Ｕ字形であり、切り替え部７以外の部分に伸縮加工糸で縫着されている。さらに、切り替え部７と切り替え部７以外の部分が、いずれも、同じ種類の生地で構成されている。切り替え部７として、少なくとも２枚のバイアス地を使用して、ウエスト部２及び腰部３の正面で互いに縫着するようにしても良い。【選択図】図１
0003208132.tif 000002
【実用新案登録請求の範囲】
【請求項１】
着用者の腹部を覆うウエスト部と、臀部を覆う腰部と、前記腰部から上下に延びて着用者が脚を通すことができる脚部と、を有する下衣であって、
前記ウエスト部及び前記腰部の少なくとも一部に、縫着された切り替え部を有しており、
前記切り替え部が、当該切り替え部以外の生地の布目に対して布目が傾斜したバイアス地で構成されていることを特徴とする下衣。
【請求項２】
請求項１に記載の下衣において、
前記切り替え部が、正面視略Ｖ字形又は略Ｕ字形であることを特徴とする下衣。
【請求項３】
請求項１又は２に記載の下衣において、
前記切り替え部が、前記切り替え部以外の部分に伸縮加工糸で縫着されていることを特徴とする下衣。
【請求項４】
請求項１乃至３のいずれか一項に記載の下衣において、
前記切り替え部と前記切り替え部以外の部分が、いずれも同じ種類の生地で構成されていることを特徴とする下衣。
【請求項５】
請求項１乃至３のいずれか一項に記載の下衣において、
前記切り替え部と前記切り替え部以外の部分とが、異なる種類の生地で構成されていることを特徴とする下衣。
【請求項６】
請求項１乃至５のいずれか一項に記載の下衣において、
前記切り替え部が、少なくとも２枚の前記バイアス地を使用して、前記ウエスト部及び前記腰部の正面で互いに縫着して成ることを特徴とする下衣。
【考案の詳細な説明】
【技術分野】
【０００１】
本考案は、着用者の体型や姿勢に関わらず腹部の締め付けを和らげ、また、着用者の体型をカバーし得る下衣に関する。
【背景技術】
【０００２】
従来から、腰ゴムのみで着用者のウエスト周りを締め付けて着用するズボンがあり（例えば、特許文献１）、ベルトや紐を使用することなく、腰ゴムの伸縮を利用することにより、着用者のウエスト周りに合わせて着用できるようになっており、しかも着脱容易になっている。
【０００３】
【特許文献１】特開２００９−７７２２号公報
【考案の概要】
【考案が解決しようとする課題】
【０００４】
しかしながら、上記特許文献に記載されているような着用者のウエスト周り全体を締め付けるようなズボンの場合には、着用者の体のライン（特に腹部）が顕著に表れてしまい、これを隠すのが難しい。そして、長ズボン、スカート、短パンといった下衣は、特に着用者が椅子等に着座する度に腹部が前に出てしまうため、これをカバーすることが必要である。また、着用者の姿勢により、あるいは、着用者の加齢に伴う体型の変化により特に腹部が締め付けられるため、このような締め付けを抑えて体のラインにぴったりとフィットし、着心地を良くすることが課題となっている。
【０００５】
上記のような課題に鑑みて、本考案は、着用者の体のラインをカバーし、さらには、着用者の体型、姿勢に関わらず、特に腹部の締め付けを抑え、着心地の良い下衣を提供することを目的とする。
【課題を解決するための手段】
【０００６】
前記課題を解決するために本考案に係る下衣（例えば、実施形態におけるズボン１）は、着用者の腹部を覆うウエスト部と、臀部を覆う腰部と、腰部から上下に延びて着用者が脚を通すことができる脚部と、を有する下衣であって、
前記ウエスト部及び腰部の少なくとも一部に、縫着された切り替え部を有しており、
前記切り替え部が、当該切り替え部以外の生地の布目に対して布目が傾斜したバイアス地で構成されていることを特徴とする。
【０００７】
また、上記構成の下衣において、切り替え部が、正面視略Ｖ字形又は略Ｕ字形であるのが好ましい。
【０００８】
また、上記構成の下衣において、切り替え部が、切り替え部以外の部分に伸縮加工糸で縫着されているのが好ましい。
【０００９】
また、上記構成の下衣において、切り替え部と切り替え部以外の部分が、いずれも同じ種類の生地で構成されているのが好ましい。
【００１０】
また、上記構成の下衣において、切り替え部と切り替え部以外の部分が、異なる種類の生地で構成されていてもよい。
【００１１】
また、上記構成の下衣において、切り替え部が、少なくとも２枚のバイアス地を使用して、ウエスト部及び腰部の正面で互いに縫着して成るのが好ましい。
【考案の効果】
【００１２】
本考案の下衣によれば、ウエスト部及び腰部の切り替え部が切り替え部以外の生地の布目に対して傾斜したバイアス地で構成されているため、切り替え部をバイアス地で構成しなかった場合と比較して、切り替え部が、より大きく伸縮することが可能となる。これにより、下衣の着用者の体型に応じて着用者の特に腹部に適合するため、着用者のウエスト周り全体にわたって伸縮するゴムを使用した場合と比較して、着用者の体型（特に腹部）カバーすることが可能となる。また、下衣の着用者の姿勢に関わらず着用者の体のライン（特に腹部）に応じて伸縮することで、着用者の腹部を締め付けることはない。このため、着用者の体型、姿勢に関わらず着心地の良いものとなる。
【００１３】
また、切り替え部の縫着部が、正面視略Ｖ字形であるため、下衣の着用者が椅子などに腰掛けた時に、Ｖ字形の縫着部が着用者の大腿部に負担を与えない。
【００１４】
また、切り替え部が、切り替え部以外の部分に伸縮加工糸で縫着されていることにより、切り替え部を構成するバイアス地の伸縮性に加え、伸縮加工糸の伸縮性の効果により、切り替え部の伸びがより一層大きくなる。
【００１５】
また、切り替え部と切り替え部以外の部分が、いずれも同じ種類の生地で構成されていることにより、下衣の着用者が特に立った場合でも、切り替え部だけが特に目立つことがなく、下衣全体が違和感なくスッキリとなり、着用者の体型を隠すことが可能となる。なお、切り替え部を、下衣のデザインに応じて、１枚の生地ではなく、少なくとも２枚のバイアス地を使用して、ウエスト部の正面で互いに縫着することも可能である。
【図面の簡単な説明】
【００１６】
【図１】図１は、本考案に係る下衣のズボンを例とする正面図である。
【図２】図２は、上記ズボンの背面図である。
【図３】図３は、上記ズボンの別の実施形態を示す正面図である。
【考案を実施するための形態】
【００１７】
以下において、図１乃至図３を参照して、バイアス地で構成された切り替え部分を有するズボンを例として、本考案に係る下衣の実施形態を説明する。図１はズボン１の正面図で、図２はズボン１の背面図で、図３はズボン１の別の実施形態を示す図である。なお、以下で説明するズボンは、あくまでも下衣の一実施形態であり、本考案は必ずしも以下で説明されるズボン１の構成に限定されるわけではない。
【００１８】
図１及び図２に示すように、ズボン１は、着用者の腹部を覆うウエスト部２と、臀部を覆う腰部３と、ウエスト部２から上下に延びる脚部４、４であって、着用者が脚をそれぞれに通すことができる脚部４、４とを有する。ウエスト部２、腰部３及び脚部４は、本例では、いずれもポリエステル９５％及びポリウレタン５％から成る生地で構成されているが、必ずしもこの混率に限定されない。
【００１９】
ウエスト部２の上端裏側には、ウエスト周りの全周に亘ってゴムが設けられている。また、ウエスト部２の前面から、それぞれ左右側方に且つ斜め下方に延びるように左右の開口部５が形成され、ポケットとして使用可能である。また、ウエスト部２の背面の左右には、ポケット６、６がそれぞれ設けられている。なお、ポケット６、６やそれに代わるフラップ布といったものは必ずしも設ける必要はない。
【００２０】
ウエスト部２及び腰部３は、その正面から側面に亘って、切り替え部７を有している。切り替え部７と切り替え部７以外の部分とは、共布である（同じ種類の生地で構成される）のが基本であるが、切り替え部７と切り替え部７以外の部分とを、異なる種類の生地で構成してもよい。
【００２１】
切り替え部７は、ウエスト部２や腰部３の切り替え部７以外の部分や脚部４、４の生地の布目に対して布目が傾斜したバイアス地で構成されている。これにより、切り替え部７をバイアス地で構成しなかった場合と比較して、切り替え部７が、より大きく伸縮することが可能となる。したがって、ズボン１の着用者の体型（特に、腹部）に応じて切り替え部７が自在に伸縮してズボン１が着用者の腹部に適合するため、着用者のウエスト周り全体にわたって伸縮するゴムを使用した場合と比較して、着用者の体型（特に腹部）カバーすることが可能となる。また、着用者の姿勢に応じて着用者の体のライン（特に、腹部）が変化した場合であっても、着用者の腹部を締め付けることはない。また、切り替え部７は、ズボン１の着用者が着座した時に、より一層大きく伸びる。これにより、特に着座した時の着用者の腹部に対する締め付け感が無く、着用者は着心地良く着用することが可能である。また、切り替え部７を含むウエスト部２及び腰部３並びに脚部４、４は、いずれも、同じ種類の生地で構成されているため、ズボン１の着用者が特に立った場合でも、切り替え部７だけが特に目立つことはなく、着用者の体型を隠すことも可能となる。
【００２２】
この切り替え部７は、図１に示すように、正面視Ｖ字形又は略Ｕ字形となっている。これにより、ズボン１の着用者が特に椅子などに腰掛けた時に、Ｖ字形又はＵ字形の切り替え部７の縫着部８が着用者の大腿部に負担を与えず、着用者の履き心地を損なうことがない。
【００２３】
また、切り替え部７は、切り替え部７以外の部分にナイロン又はポリエステルを素材とする伸縮加工糸（ウーリー糸）で縫着されている。このため、切り替え部７を構成するバイアス地の伸縮性に加え、縫着部８を構成する伸縮加工糸の伸縮性の効果により、切り替え部７の伸びがより一層大きくなる。
【００２４】
上記実施例は、図１乃至図３を参照して説明したが、ズボン１の正面は、図１に示すような形態に限られず、切り替え部７を１枚の生地で構成するのではなく、例えば図３に示す実施例のように、切り替え部７として左右２枚の生地を使用し、ウエスト部２及び腰部３の正面で互いに縫着するようにしてもよい。この場合は上下に延びる縫着部９（「接ぎ」）が形成されるが、この場合も、切り替え部７のバイアス地による伸縮性の効果を発揮することができる。
【００２５】
以上、本発明に係る下衣の実施形態を、ズボン（長ズボン）を例として説明したが、本発明は、下衣としてズボンに限られず、着用者の腹部及び臀部を覆うウエスト部を有する下衣であれば、半ズボン、スカート等の下衣に適用することができる。
【符号の説明】
【００２６】
１  ズボン（下衣）
２  ウエスト部
３  腰部
４  脚部
５  開口部
６  ポケット
７  切り替え部
８  縫着部
９  縫着部
【図１】
0003208132.tif 000003
【図２】
0003208132.tif 000004
【図３】
0003208132.tif 000005